(57)【要約】【課題】扉開閉機構を備えた収納室であっても、扉周囲の隙間を小さくできる。【解決手段】前後方向に移動する収納ケース６４と、収納ケース６４の前面扉６５と、前面扉６５に設けられ収納ケース６４側に突出した突起部６７と、収納ケース６４に設けられ突起部６７が摺動し前面扉６５を開閉させる傾斜リブ１１４とを備え、突起部６７は前面扉６５の一方の側部のみに設けることで、前面扉６５を安定に支持できるので前面扉６５とその周囲との隙間を小さくすることができる。【選択図】図８
2013083365.tif 000002
【特許請求の範囲】
【請求項１】
前後方向に移動する収納ケースと、前記収納ケースの前面に設けられた扉と、前記扉に設けられ前記収納ケース側に突出した突起部と、前記収納ケースに設けられ前記突起部が摺動し前記扉を開閉させる傾斜部とを備え、前記突起部は前記扉の側部の一方のみに設けられたことを特徴とした冷蔵庫の収納室。
【請求項２】
前記扉に設けられた支持軸と、前記支持軸のうち前記突起部が設けられた側の支持軸を支持する第１の支持穴と、前記突起部が設けられていない側の支持軸を支持する第２の支持穴とを備え、前記第２の支持穴は前記第１の支持穴より小さいことを特徴とした請求項１に記載の冷蔵庫の収納室。
【請求項３】
前記扉に設けられた支持軸と、前記支持軸のうち前記突起部が設けられた側の支持軸を支持する第１の支持穴と、前記突起部が設けられていない側の支持軸を支持する第２の支持穴とを備え、前記第２の支持穴は、底部が水平であることを特徴とした請求項１に記載の冷蔵庫の収納室。
【請求項４】
前記扉は、前記突起部の上方または下方の少なくともいずれか一方に側壁を備えたことを特徴とした請求項１に記載の冷蔵庫の収納室。
【請求項５】
前記収納ケースは、前記傾斜部の上方に収納ケースの側壁を延長した延長部を備えたことを特徴とした請求項１に記載の冷蔵庫。
【発明の詳細な説明】
【技術分野】
【０００１】
本発明は、冷蔵庫の冷蔵室の内部に備えられる収納室であって、特に、収納室の開閉機構に関する。
【背景技術】
【０００２】
従来、冷蔵室内の底部に収納室（チルド室）を備えた冷蔵庫が知られている（例えば、特許文献１）。この種の冷蔵庫では、冷蔵室の天面に冷蔵室用ダクトが、冷蔵室の背面にチルド室用ダクトがそれぞれ設けられ、また、冷蔵室背面には冷却器およびファンが設けられている。そして、冷却器で冷却された空気（冷気）が、ファンにより冷蔵室用ダクト、チルド室用ダクトを介して冷蔵室、チルド室に送られることで、冷蔵室、チルド室ごとに所定の温度に冷却制御される。
【０００３】
そして、このような冷蔵室内に設けられた収納室には、収納ケースが備えられ、収納ケースの前部に前面扉が取付けられており、その前面扉の開閉動作において、使い勝手を高めるような取り組みがなされている（例えば、特許文献２）。
【０００４】
図１１は、特許文献２に記載された従来の前面扉の開閉機構を示すものである。図１１に示すように、前面扉２の支持軸３を回転中心軸として収納ケース１の引出しの動きにより、収納ケース１の一部が前面扉２を押上げて開閉回動するものであり、前面扉２の裏面に形成された突起部６と、収納ケース１に形成され、突起部６を前後方向へ移動自在に案内する傾斜部７とから構成されている。
【先行技術文献】
【特許文献】
【０００５】
【特許文献１】特開２００４−２７８９５９号公報
【特許文献２】実開昭６４−０１６５８９号公報
【発明の概要】
【発明が解決しようとする課題】
【０００６】
近年、魚介類や肉類を本来のおいしさや鮮度を保ちながら、比較的長い間保存したいという要望から、冷蔵室の内部に、チルド室より低温の温度帯の収納室（貯蔵室）を設けることが要望されている。
【０００７】
冷蔵室の温度は通常３℃±２℃であり、チルド室の温度は通常０℃±１℃であるのに対し、低温の貯蔵室の温度は、例えば−３℃±１．５℃である。このため、冷蔵室内に低温の貯蔵室を設けると、従来のチルド室を設けた場合より、冷蔵室との温度差が大きくなる。
【０００８】
このため、冷蔵室内の空気と触れる低温の貯蔵室の外側が結露する恐れが生じていた。また、前面扉と貯蔵室との隙間から冷蔵室内の比較的暖かい空気が、低温の貯蔵室内に侵入し、低温の貯蔵室の扉付近に結露を生じる恐れもあった。
【０００９】
特に、従来の扉開閉機構の構成では、前面扉の左右に突起部６を形成し、収納ケース１の左右の側壁に傾斜部７を形成しているため、収納ケース１が斜めに引き出された場合でも、左右いずれかの突起部６が収納ケース１の傾斜部７に当接し、前面扉が確実に開閉される反面、前面扉と周囲の構成要素との間に十分な隙間を設ける必要があるため、隙間から侵入した比較的暖かい空気が、低温の貯蔵室の前面扉付近に結露を生じさせる恐れがよ
り大きかった。
【００１０】
そして、貯蔵室近傍に結露が生じることを、冷蔵庫の使用者が不快に感じるという課題があった。
【００１１】
本発明は、前記従来の課題を解決するもので、扉周囲の隙間を小さくできる扉開閉機構を備えた収納室を提供することを目的とする。さらに、低温の貯蔵室として用いても、収納室の外側や、扉付近に結露が生じることのない冷蔵庫の収納室を提供することを目的とする。
【課題を解決するための手段】
【００１２】
上記従来の課題を解決するために、本発明の冷蔵庫の収納室は、冷後方向に移動する収納ケースと、前記収納ケースの前面に設けられた扉と、前記扉に設けられ前記収納ケース側に突出した突起部と、前記収納ケースに設けられ前記突起部が摺動し前記扉を開閉させる傾斜部とを備え、前記突起部は前記扉の側部の一方のみに設けられたものである。
【００１３】
これによって、前面扉の開閉機構を備えた収納室であっても、扉とその周囲との隙間を小さくすることができる。さらに、前面扉の開閉機構を備えた収納室の前面扉付近が結露するのを防止できる。
【発明の効果】
【００１４】
本発明の冷蔵庫の収納室は、前面扉の開閉機構を備えていても扉とその周囲との隙間を小さくすることができる。
【図面の簡単な説明】
【００１５】
【図１】本発明の実施の形態１における冷蔵庫の正面図
【図２】本発明の実施の形態１における冷蔵庫の側面断面図
【図３】本発明の実施の形態１における冷蔵室内部の概略正面図
【図４】本発明の実施の形態１における収納室の側面断面図
【図５】本発明の実施の形態１における収納室の前面扉の斜視図
【図６】本発明の実施の形態１における支持穴の説明図
【図７】本発明の実施の形態１における収納室の収納ケースの斜視図
【図８】本発明の実施の形態１における収納室の前面扉の開閉動作を説明する概略側面図
【図９】本発明の実施の形態１における収納室の前面扉の開閉動作を説明する概略側面図
【図１０】本発明の実施の形態１における収納室の前面扉の開閉動作を説明する概略側面図
【図１１】従来の収納室の側面断面図
【発明を実施するための形態】
【００１６】
第１の発明は、前後方向に移動する収納ケースと、前記収納ケースの前面に設けられた扉と、前記扉に設けられ前記収納ケース側に突出した突起部と、前記収納ケースに設けられ前記突起部が摺動し前記扉を開閉させる傾斜部とを備え、前記突起部は前記扉の側部の一方のみに設けられたことにより、突出部が設けられていない側の扉とその周囲との隙間を小さくすることができる。このため、美観が向上するとともに、収納室を低温の貯蔵室として用いても、扉の内面付近に結露が生じることがない。
【００１７】
第２の発明は、第１の発明の扉に設けられた支持軸と、前記支持軸のうち前記突起部が設けられた側の支持軸を支持する第１の支持穴と、前記突起部が設けられていない側の支
持軸を支持する第２の支持穴とを備え、前記第２の支持穴は前記第１の支持穴より小さいことにより、突出部が設けられていない側の扉の支持軸が支持穴内で不安定に動くことないので、扉のがたつきを低減でき、扉とその周囲との隙間を小さくすることができる。
【００１８】
第３の発明は、第１の発明の扉に設けられた支持軸と、前記支持軸のうち前記突起部が設けられた側の支持軸を支持する第１の支持穴と、前記突起部が設けられていない側の支持軸を支持する第２の支持穴とを備え、前記第２の支持穴は、底部が水平であるために、突出部が設けられていない側の扉のがたつきを低減でき、扉とその周囲との隙間を小さくすることができる。
【００１９】
第４の発明は、第１の発明において、扉は、前記突起部の上方または下方の少なくともいずれか一方に側壁を備えたことにより、突出部が設けられた側の扉とその周囲との隙間から、周囲の空気が進入することを防止できる。
【００２０】
第５の発明は、第１の発明の収納ケースは、前記傾斜部の上方に収納ケースの側壁を延長した延長部を備えたことにより、扉を開いた状態で保持できるので、使い勝手のよいとともに、突出部が設けられた側の扉とその周囲との隙間から、周囲の空気が進入することを防止できる。
【００２１】
以下、本発明の冷蔵庫の実施の形態について、図面を参照しながら説明する。なお、この実施の形態によって本発明が限定されるものではない。
【００２２】
（実施の形態１）
図１は、本発明の実施の形態１にかかる冷蔵庫の正面図である。図１において、冷蔵庫２１は、観音開き式の扉を備える冷蔵庫であり、断熱箱体１１内に複数に区画された室を備えている。
【００２３】
具体的には、上部より冷蔵室２２、製氷室２３、製氷室２３に併設され急速冷凍可能な急速冷凍室２４、冷凍室２５、および野菜室２６を備えている。
【００２４】
各室の開口部には、例えばウレタンのような発泡断熱材を発泡充填した断熱扉が設けられている。具体的には、冷蔵室２２には断熱箱体の開口部を開閉可能に塞ぐ第１の扉３１ａおよび第２の扉３１ｂが設けられている。
【００２５】
また、製氷室２３、急速冷凍室２４、冷凍室２５、および野菜室２６は引き出し式の室であり、それぞれ引き出し式の扉３２、扉３３、扉３４、および扉３５が設けられている。
【００２６】
第２の扉３１ｂには、第２の扉３１ｂの反ヒンジ側、すなわち、開放端側の外面の端辺に沿って扉化粧板３６が取り付けられている。扉化粧板３６には裏側から操作表示手段３７が取り付けられており、その取り付け位置は、一般的な使用者や作業者の目の高さ程度の高さ位置である。
【００２７】
図２は、冷蔵庫２１の側面断面図、図３は、冷蔵室２２の内部の概略正面図である。図２に示すように、断熱箱体１１の天面部は冷蔵庫２１の背面方向に向かって階段状に凹みを設けた形状であり、この階段状の凹部に機械室を形成して圧縮機１２、水分除去を行うドライヤ（図示せず）等の冷凍サイクルの構成部品が収容されている。すなわち、圧縮機１２を配設する機械室は、冷蔵室２２内の最上部の後方領域に食い込んで形成されることになる。手が届きにくくデッドスペースとなっていた冷蔵室２２の最上部の後方領域に機械室を設けて圧縮機１２を配置することにより、冷凍室２５や野菜室２６の容量を拡大し
、収納性や使い勝手を大きく改善することができる。
【００２８】
冷蔵室２２の内部には、冷蔵室２２の側面に設けられた凸部（図示せず）に支持される複数の棚６１が設けられている。また、天板６２で区画された貯蔵室６３（本発明における収納室）が、冷蔵室２２の底部に設けられている。貯蔵室６３の前面には、前面に第１の扉３１ａ、第２の扉３１ｂとは別に専用の前面扉６５（本発明における扉）を備えている。前面扉６５と天板６２により、貯蔵室６３は、冷蔵室２２内の温度より低温の状態を、効率よく維持することができる。
【００２９】
図３に示すように、貯蔵室６３は冷蔵室２２の右側（第２の扉３１ｂ側）に寄せて設けられている。そして、貯蔵室６３の左側（第１の扉３１ａ側）の右側下部には、頻繁に取り出す小物などを収納するための小物入れ２０１が設けられている。さらに、小物入れ２０１の上部には卵を収納するための卵収納容器２０２が、小物入れ２０１の左側には製氷室２３に給水するための貯水タンク２０３が、それぞれ設けられている。
【００３０】
また、図２に示すように、冷蔵庫２１の背面には、冷気を生成する冷却室７１、各室への冷気の搬送風路７２、冷蔵室２２と搬送風路７２を断熱区画するための背面パネル７３が設けられている。すなわち、搬送風路７２は、断熱箱体１１の内箱１１ａと背面パネル７３との間に形成されている。冷却室７１は、冷凍室２５と野菜室２６の背面に設けられており、内部に、冷却器７４を備えている。
【００３１】
冷却器７４の上部空間には冷却器７４で冷却した冷気を強制対流させる冷却ファン７５が配置され、冷却器７４の下部空間には冷却時に冷却器７４やその周辺に付着する霜や氷を除霜するためのガラス管製のラジアントヒータ７６が設けられ、さらにその下部には除霜時に生じる除霜水を受けるためのドレンパン７７、その最深部から庫外に貫通したドレンチューブ７８が構成され、その下流側の庫外に蒸発皿７９が構成されている。
【００３２】
搬送風路７２を形成する背面パネル７３は、冷蔵室２２側に配置された樹脂製のカバー（図示せず）と、冷蔵庫２１の背面側に配置され搬送風路７２を形成する断熱部材（図示せず）とから形成されている。そして、背面パネル７３には、冷蔵室２２内に開口し、冷却室７１内で生成された冷気を冷蔵室２２内に吹き出す冷蔵室用吹出口（図示せず）と、貯蔵室６３内に連通し、冷却室７１内で生成された冷気を貯蔵室６３内に供給する貯蔵室用吹出口（図示せず）とがそれぞれ設けられている。
【００３３】
搬送風路７２の下部には、冷蔵室用吹出口へと流れる冷気の量と、貯蔵室用吹出口へと流れる冷気の量を調整するツインダンパ（図示せず）が設けられている。このツインダンパにより、冷蔵室２２と貯蔵室６３とに流れる冷気の量を調整することで、冷蔵室２２内、貯蔵室６３内の温度を個別に調整することができる。
【００３４】
冷蔵室２２は冷蔵保存のために凍らない温度を下限に通常１℃〜５℃とし、野菜室２６は冷蔵室２２と同等もしくは若干高い温度設定の２℃〜７℃としている。冷凍室２５はマイナス温度帯に設定されており、冷凍保存のために通常−２２℃〜−１５℃で設定されているが、冷凍保存状態の向上のために、例えば−３０℃や−２５℃の低温で設定されることもある。貯蔵室６３は、いわゆるパーシャル室として、冷蔵室２２より低い温度設定の−４．５℃〜−１．５℃としている。製氷室２３は、冷蔵室２２内の貯水タンク（図示せず）から送られた水で室内上部に設けられた自動製氷機（図示せず）で氷を作り、室内下部に配置した貯氷容器（図示せず）に貯蔵する。
【００３５】
本発明の実施の形態１にかかる収納室である貯蔵室６３の構成について、図４を用いてさらに説明する。図４は、本実施の形態１における貯蔵室の側面断面図である。図４に示
すように、天板６２の下側には、内部に天面風路８１を備えた天面ダクトユニット８０が設けられている。天面ダクトユニット８０は、主に、貯蔵室６３の庫内側に位置する樹脂製のダクトカバー８２、ダクトカバー８２の内面に接して設けられた下部断熱部材８３、下部断熱部材８３の上方に配置された上部断熱部材８４とから構成されている。
【００３６】
天板６２は、透明や半透明のガラス製、または、樹脂製である。天板６２の周囲には、樹脂製の支持枠８９が設けられている。ダクトカバー８２は、樹脂性であり、支持枠８９に固定されている。上部断熱部材８４、下部断熱部材８３は、発泡ポリスチレンに代表される発泡樹脂などの断熱材を成形したものであり、ダクトカバー８２により、天板６２の下側に固定されている。
【００３７】
天面風路８１は、上部断熱部材８４と下部断熱部材８３とにより、上部断熱部材８４と下部断熱部材８３との間に形成されている。さらに、天面風路８１は、下部断熱部材８３に設けられた下方吹出口８５、上部断熱部材８４と下部断熱部材８３との間に設けられた前方吹出口８６とそれぞれ連通している。また、ダクトカバー８２の下方吹出口８５と前方吹出口８６のそれぞれに対応する箇所には、スリットが設けられている。
【００３８】
また、天面風路８１は、貯蔵室６３の背面側で、背面パネル７３に設けられた貯蔵室用吹出口８７を介して、搬送風路７２と連通している。天面ダクトユニット８０の背面の貯蔵室用吹出口８７に対応する箇所の周囲には、貯蔵室用吹出口８７と天面風路８１との接続部からの冷気漏れを防止するためにシール部材（図示せず）が設けられている。
【００３９】
上部断熱部材８４の後方側（貯蔵室用吹出口８７との接続側）の上面には、上方に突出する凸部８４ａが設けられている。凸部８４ａは、上部断熱部材８４の左右方向の全幅に亘ってリブ状に設けられている。凸部８４ａが天板６２の下側（内面）と当接することで、天板６２と上部断熱部材８４との間に空気層８８が形成される。そして、空気層８８は冷蔵庫２１の背面側ほど、厚みが厚くなるように形成される。
【００４０】
貯蔵室用吹出口８７の上下方向の中心は、天面風路８１の上下方向の中心より下方に設けられている。このため、天面風路８１の貯蔵室用吹出口８７との接続側には、天面風路傾斜部８１ａが設けられている。
【００４１】
貯蔵室６３の底部側は、上方が開口した収納ケース６４により形成されている。収納ケース６４は、冷蔵室２２を区画する断熱仕切体の上面に、リブ５１を介して配置されており、前後に引出すことができる。リブ５１は前後に突起５１ａを備えた前後方向に長い凸部であり、冷蔵室２２を区画する断熱仕切体の上面の左右に設けられている。
【００４２】
収納ケース６４の前面壁９１の上端には、上端から前方に水平に延長され、前面壁９１の上方を覆うように垂下した取っ手部９３が設けられている。取っ手部９３の背面側に位置する前面壁９１には、通気孔９４が設けられている。
【００４３】
天板６２の前面の支持枠８９の下面には、左右に、前面扉６５を開閉可能に支持する支持穴１０１が設けられている。この支持穴１０１が前面扉６５の上端に設けられた支持軸６６を支持することで、前面扉６５を前方から上方へと回転させて、開閉できる。
【００４４】
前面扉６５の構成についてさらに詳しく説明する。図５は、本発明の実施の形態１における収納室の前面扉６５の背面側からみた斜視図である。図６は、同実施の形態における支持穴の説明図である。図５に示すように、前面扉６５の上端の左右には、前方に開口する略コの字状の腕部１０２が設けられている。腕部１０２の端部には、外側方向に突出し、開閉するときの回転軸となる右支持軸６６Ｒ（図示せず）と左支持軸６６Ｌとをそれぞ
れ備えている。
【００４５】
前面扉６５の一方の側面（本実施の形態においては正面から見て左側の側面）のみに、略中央から、後方すなわち収納ケース側に棒状に突出して突起部６７を備えている。さらに、突起部６７の上方、および、下方には、突起部６７と前面扉６５の側面とをつなぐ平板状の上方左側部１０３、下方左側部１０４（それぞれ、本発明における側壁）がそれぞれ設けられている。そして、上方左側部１０３、下方左側部１０４は、右側部１０５に設けられた右側部１０５より後方に長く形成されている。支持軸６６、腕部１０２、突起部６７、上方左側部１０３、下方左側部１０４、右側部１０５は、前面扉６５と一体に形成されている。
【００４６】
天板６２の前面の支持枠８９の下面には、右支持軸６６Ｒと左支持軸６６Ｌとに対応する位置に、右支持穴１０１Ｒ（本発明における第２の支持穴、図示せず）と左支持穴１０１Ｌ（本発明における第２の支持穴、図示せず）とが設けられている。そして、突起部６７が設けられた側の支持軸６６である左支持軸６６Ｌを支持する左支持穴１０１Ｌの穴径より、突起部６７が設けられていない側の支持軸６６である右支持軸６６Ｒを支持する右支持穴１０１Ｒの穴径は、小さくしてある。
【００４７】
あるいは、左支持穴１０１Ｌは円形であるのに対し、右支持穴１０１Ｒは、図６に示すように、頂部１２１と底部１２２とが、円弧上ではなく水平な面となるように形成されている。
【００４８】
収納ケース６４の構成についてさらに詳しく説明する。図７は、本発明の実施の形態１における収納室の収納ケースの斜視図である。図７に示すように、収納ケース６４の前面壁９１は、使用者が収納ケース６４への食品の出し入れが容易なように、背面壁９２や右側壁１１１、左側壁１１２より高さが低くなっている。そして、前面壁９１の前方には取っ手部９３が設けられている。
【００４９】
右側壁１１１の上端には、上端から外側に水平に延長された右上面リブ１１３が形成されている。左側壁１１２の中央よりやや前方には、傾斜リブ１１４が設けられている。そして、左側壁１１２の前端（前面壁９１との接合部）と傾斜リブ１１４との間にはそれらを滑らかに結ぶ案内リブ１１５が設けられている。また、左側壁１１２には、右側壁１１１より高さが高くなるように、収納ケース６４の側壁を延長した延長部１１６が設けられている。そして、延長部１１６の上方には水平リブ１１７（本発明における水平部）が設けられている。
【００５０】
案内リブ１１５、傾斜リブ１１４、水平リブ１１７は、左側壁１１２および延長部１１６の上端を滑らかに繋ぎ、上端より外側に水平に延長されて一体で、左上面リブ１１８を形成している。そして、左上面リブ１１８のうち、少なくとも傾斜リブ１１４、望ましくは、傾斜リブ１１４と水平リブ１１７とは、右上面リブ１１３より幅広になっている。
【００５１】
背面壁９２は、後方側に行くほど収納ケース６４の開口部が大きくなるように傾斜している。収納ケース６４の底面は、凹凸形状となっている。
【００５２】
なお、図５中の一点鎖線は、右側壁１１１と左側壁１１２と高さの違いを説明するために、便宜上記載した線であり、延長部１１６は右側壁１１１と一体に形成されている。
【００５３】
以上のように構成された冷蔵庫および貯蔵室について、以下その動作、作用を説明する。
【００５４】
まず、冷凍サイクルの動作について説明する。庫内の設定された温度に応じて制御基板（図示せず）からの信号により冷凍サイクルが動作して冷却運転が行われる。圧縮機１２の動作により吐出された高温高圧の冷媒は、凝縮器（図示せず）である程度凝縮液化し、さらに冷蔵庫２１本体の側面や背面、また冷蔵庫２１本体の前面間口部に配設された冷媒配管（図示せず）などを経由し冷蔵庫２１本体の結露を防止しながら凝縮液化し、キャピラリーチューブ（図示せず）に至る。その後、キャピラリーチューブでは圧縮機１２への吸入管（図示せず）と熱交換しながら減圧されて低温低圧の液冷媒となって冷却器７４に至る。ここで、低温低圧の液冷媒は、冷却ファン７５の動作により空気と熱交換され、冷却器７４内の冷媒は蒸発気化する。
【００５５】
そして、冷却室７１内で各室を冷却するための冷気が生成され、生成された冷気は各室に送られる。例えば、ツインダンパを介して、搬送風路７２を通って冷蔵室２２や、貯蔵室６３に送られる。これにより、各室ごとに所定の温度に冷却制御される。
【００５６】
搬送風路７２を通り貯蔵室用吹出口８７から天面ダクトユニット８０に流入した冷気は、天面風路傾斜部８１ａにより、貯蔵室用吹出口８７から、天面側に上昇するように流れる。そして、天面風路８１内を前方に流れ、複数の下方吹出口８５、前方吹出口８６から貯蔵室６３に流入する。そして、この冷気は、貯蔵室６３内を冷却し、収納ケース６４の底面から傾斜して設けられた背面壁９２を上昇した後、下方に流れる。その後、貯蔵室６３を冷却した冷気は、冷蔵庫２１の背面側に設けられた戻り風路（図示せず）を通り、冷却室７１へと再び戻る。
【００５７】
また、前方吹出口８６から吹き出された冷気の一部は、通気孔９４に向かって、前面扉６５の内壁に沿って流れる。そして、通気孔９４を通って貯蔵室６３の外へ流れた後、取っ手部９３により流れの方向を下向きにされ、収納ケース６４とリブ５１との間の隙間を通って、冷蔵庫２１の背面側の戻り風路へと流れる。
【００５８】
次に、貯蔵室６３の前面扉６５の扉開閉の動作を説明する。図８〜図１０は、本発明の実施の形態１における収納室の前面扉６５の開閉動作を説明する概略側面図である。
【００５９】
まず、図８は前面扉６５を閉めた状態を示している。この状態では、突起部６７は、傾斜リブ１１４、水平リブ１１７とは当接しない状態となる。
【００６０】
図９は収納ケース６４を前方向に少し引出した状態を示している。この状態では突起部６７が傾斜リブ１１４に当接している。冷蔵室２２の開口面に開閉自在に取付けられた第２の扉３１ｂを開き、貯蔵室６３に食品を収納、または、取出す場合には、取っ手部９３に手を掛けて、冷蔵庫２１の前方向に収納ケース６４を引出す。すると、収納ケース６４の傾斜リブ１１４と前面扉６５に一体に形成された突起部６７とが、図９に示すように接点ａで当接し、前面扉６５は天板６２の前端部の前方にある支持軸６６を回転軸としながら、収納ケース６４と連動して、開閉動作をする。さらに収納ケース６４を引き出すと、突起部６７との接点ａは傾斜リブ１１４を右上方向に摺動移動する。
【００６１】
図１０は収納ケース６４を最大に引出す手前の状態を示している。この状態では、突起部６７は水平リブ１１７に当接している。そして、突起部６７と水平リブ１１７との接点ｂは、収納ケース６４を最大に引出すまで、水平リブ１１７上を、摺動移動する。このため、前面扉６５は略水平以上に開かれた状態を維持できる。
【００６２】
一方、収納ケース６４を図９の位置にもどす時、取っ手部９３を押し込むことで前面扉６５を閉状態にできる。この場合、突起部６７は、水平リブ１１７上を、摺動移動した（接点ｂ）後、前面扉６５の自重により傾斜リブ１１４に当接し、傾斜リブ１１４上を摺動
移動した（接点ａ）する。
【００６３】
以上のように構成された冷蔵庫の収納室において、突起部が前面扉６５の両方の側部に設けられている場合には、右側の突起部が収納ケース６４の右上面リブに当接する場合、左側の突起部が収納ケースの左上面リブに当接する場合、左右の突起部が同時に収納ケース６４の上面リブに当接する場合の３通りを考慮して、前面扉６５が突起部に押し上げられてスムーズに開閉されるように、前面扉６５とその周囲との間に隙間（クリアランス）を設ける必要がある。
【００６４】
しかし、本実施の形態では、突起部６７が前面扉６５の一方の側部のみに設けられているので、突起部６７が設けられていない側は、前面扉６５とその周囲の隙間を小さくしても、前面扉６５が突起部６７に押し上げられてスムーズに開閉される。このため、突起部が前面扉６５の両方の側部に設けられている場合に比べて、突起部６７が設けられていない側の前面扉６５とその周囲との隙間を小さくすることができる。
【００６５】
一方、突起部６７が前面扉６５の一方の側部のみに設けていることから、突起部６７が設けられていない側では、右支持軸６６Ｒが右支持穴１０１Ｒの中を移動しやすくなるため、がたつきが生じる恐れがでてくる。しかし、本実施の形態では。右支持穴１０１Ｒの穴径を、左支持穴１０１Ｌより小さくしているので、突起部６７が設けられていない側でも、前面扉６５のがたつきを低減できる。
【００６６】
あるいは、右支持穴１０１Ｒは、底部１２２が円弧上ではなく水平な面となるように形成されているので、右支持軸６６Ｒが底部１２２上で安定するので、前面扉６５のがたつきを低減できる。さらに、右支持穴１０１Ｒは、頂部１２１も水平な面となるように形成されているので、右支持穴１０１Ｒは前後方向の長さが縮小される。これにより、右支持軸６６Ｒが右支持穴１０１Ｒの中で移動するのを抑制し、前面扉６５のがたつきを低減できる。さらに、これらの場合には、右支持穴１０１Ｒは前後方向には、左支持穴１０１Ｌと同じ長さを有しているので、前面扉６５を取り付ける際に、取り付け性が悪化するといったこともない。
【００６７】
また、本実施の形態では、突起部６７が当接する傾斜リブ１１４かつ／または水平リブ１１７が、右上面リブ１１３より幅広になっているので、前面扉６５を開いた状態でも前面扉６５が、がたつくことがないため、前面扉６５とその周囲との隙間を小さくすることができる。
【００６８】
また、前面扉６５は、突起部６７の上方または下方の少なくともいずれか一方に冷蔵庫２１の背面側に延長された上方左側部１０３、下方左側部１０４を備えていることにより、突起部６７が設けられた側の前面扉６５とその周囲との隙間から、比較的暖かい空気が進入することを、上方左側部１０３、下方左側部１０４が防止する。
【００６９】
さらに、収納ケース６４の左側壁１１２には、右側壁１１１より高さが高くなるように、収納ケース６４の側壁を延長した延長部１１６が設けられていることにより、前面扉６５を開いた状態で保持できるので、使い勝手のよいとともに、突起部６７が設けられた側の前面扉６５とその周囲との隙間から、比較的暖かい空気が進入することを防止できる。
【００７０】
そして、本実施の形態では、突起部６７を内箱１１ａと近い側である貯蔵室６３の右側ではなく、小物入れ２０１や卵収納容器２０２と隣接する側である左側に設けている。内箱１１ａは、小物入れ２０１や卵収納容器２０２との仕切り板（図示せず）より、平面度を保つことが、その製造方法から困難であるため、内箱１１ａ側に突起部６７を設けない側とすることで、前面扉６５と内箱１１ａとの隙間を小さくできる効果が大きくなる。
【００７１】
また、本実施の形態では、貯蔵室６３は低温の貯蔵室であるため、周囲の冷蔵室２２内より温度が低く、貯蔵室６３の周囲に結露しやすい。特に、貯蔵室６３が、マイナス温度帯の低温室であるパーシャル室である場合には、貯蔵室６３の冷蔵室２２との温度差が大きくなるため、貯蔵室６３の周囲に結露しやすくなる。
【００７２】
より詳細には、前面扉６５の近傍は、冷蔵室２２内の比較的暖かい空気が前面扉６５の周囲の隙間より侵入し、貯蔵室６３内の比較的冷たい空気と触れるために、結露しやすい。しかし、本実施の形態では、前面扉６５とその周囲との隙間を小さくすることにより、冷蔵室２２内の比較的暖かい空気の前面扉６５の周囲の隙間からの侵入を低減し、前面扉６５の内面付近に結露が生じることを防止できる。
【００７３】
加えて、通気孔９４を取っ手部９３の背面に設けたことで、使用者の手の触れる取っ手部９３の内側にも、冷気の流れを作り出し、結露することを防止できる。これにより、使用者が取っ手部９３の内側に手を掛けた際にも、不快な思いをさせることがない。さらに、取っ手部９３は略垂直に取り付けられているため、通気孔９４から吹き出した冷気の流れを下方に向けることができ、スムーズに戻り通路に冷気を戻すことができるために、貯蔵室６３の冷却効率を低下させることもない。また、正面から見ても、通気孔９４は見えないので、美観もよい。
【００７４】
また、収納ケース６４の底面は、凹凸形状となっているので、収納ケース６４内の収納物が転がることを防止するとともに、底面に結露が生じる難くなる。
【００７５】
さらに、貯蔵室６３の天面には、天面ダクトユニット８０が設けられていることにより、搬送風路７２から冷気が、貯蔵室６３の天面前方や天面中央から流入するので、貯蔵室６３内の温度分布が不均一となることがない。また、貯蔵室６３内を循環した冷気が、収納ケース６４の底面から傾斜した背面壁９２を上昇した後、下方に流れることで、貯蔵室６３内に多量の食品が収納された場合にも、温度分布が不均一となることがないため、貯蔵室６３内の収納性の向上と温度分布の均一化が両立できる。
【００７６】
また、貯蔵室６３は、マイナス温度帯のパーシャル室とプラス温度帯のチルド室とが切換可能な切換室であってもよい。この場合には、保存する食品に適した温度帯を選択することができ、使用者の使い勝手が向上する。
【００７７】
なお、本実施の形態では、右支持穴１０１Ｒの穴径は左支持穴１０１Ｌの穴径より小さいか、あるいは、右支持穴１０１Ｒの頂部１２１かつ／または底部１２２が水平な面となるように形成されているとして説明したが、右支持穴１０１Ｒの穴径は左支持穴１０１Ｌの穴径より小さく、かつ、右支持穴１０１Ｒの頂部１２１かつ／または底部１２２が水平な面となるように形成されていてもよい。
【産業上の利用可能性】
【００７８】
以上のように、本発明にかかる冷蔵庫の収納室は、扉開閉機構を備えており使い勝手が向上するとともに、扉と周囲との隙間を小さくすることができる。また、低温の貯蔵室として使用しても、扉の近傍に結露することがない。このため、家庭用および業務用など様々な種類および大きさの冷蔵庫等に適用できる。
【符号の説明】
【００７９】
１、６４  収納ケース
２、６５  前面扉
３、６６  支持軸
６、６７  突起部
７  傾斜部
１１  断熱箱体
１１ａ  内箱
１２  圧縮機
２１  冷蔵庫
２２  冷蔵室
２３  製氷室
２４  急速冷凍室
２５  冷凍室
２６  野菜室
３１ａ  第１の扉
３１ｂ  第２の扉
３２、３３、３４、３５  扉
３６  扉化粧板
３７  操作表示手段
５１  リブ
５１ａ  突起
６１  棚
６２  天板
６３  貯蔵室
６６Ｒ  右支持軸
６６Ｌ  左支持軸
７１  冷却室
７２  搬送風路
７３  背面パネル
７４  冷却器
７５  冷却ファン
７６  ラジアントヒータ
７７  ドレンパン
７８  ドレンチューブ
７９  蒸発皿
８０  天面ダクトユニット
８１  天面風路
８１ａ  天面風路傾斜部
８２  ダクトカバー
８３  下部断熱部材
８４  上部断熱部材
８５  下方吹出口
８６  前方吹出口
８７  貯蔵室用吹出口
８８  空気層
８９  支持枠
９１  前面壁
９２  背面壁
９３  取っ手部
９４  通気孔
１０１  支持穴
１０１Ｒ  右支持穴
１０１Ｌ  左支持穴
１０２  腕部
１０３  上方左側部
１０４  下方左側部
１０５  右側部
１１１  右側壁
１１２  左側壁
１１３  右上面リブ
１１４  傾斜リブ
１１５  案内リブ
１１６  延長部
１１７  水平リブ
１１８  左上面リブ
１２１  頂部
１２２  底部
２０１  小物入れ
２０２  卵収納容器
２０３  貯水タンク
【図２】
2013083365.tif 000003
【図３】
2013083365.tif 000004
【図４】
2013083365.tif 000005
【図５】
2013083365.tif 000006
【図６】
2013083365.tif 000007
【図７】
2013083365.tif 000008
【図８】
2013083365.tif 000009
【図９】
2013083365.tif 000010
【図１０】
2013083365.tif 000011
【図１１】
2013083365.tif 000012
【図１】
2013083365.tif 000013